(57)【要約】【課題】既設の装置にも簡単に装着可能で、かつ、ハンドルに取り付けた状態でハンドルの施解錠を可能にして、使い勝手を向上させたハンドル錠の提供を目的とする。【解決手段】回転軸１を回転操作するためのハンドル２に装着されるハンドル錠であって、  ハンドル２を抱持して該ハンドル２に固定されるベース部３と、  ベース部３に対してスライド可能で、ハンドル２を所定の回転角度に拘束するロック位置で施錠可能なスライダ４とを有して長杆状に形成され、握り手として使用可能に構成する。【選択図】  図２ 
2005076268.tif 000002
【特許請求の範囲】
【請求項１】
回転軸を回転操作するためのハンドルに装着されるハンドル錠であって、
ハンドルを抱持して該ハンドルに固定されるベース部と、
ベース部に対してスライド可能で、ハンドルを所定の回転角度に拘束するロック位置で施錠可能なスライダとを有して長杆状に形成され、握り手として使用可能なハンドル錠。
【請求項２】
ロック解除操作部への操作により解除可能にロックされた回転軸を回転操作するためのハンドルに装着されるハンドル錠であって、
ハンドルを抱持して該ハンドルに固定されるベース部と、
ベース部に対してスライド可能で、前記ロック解除操作部を遮蔽する位置で施錠可能で、スライド位置でロック解除操作部が操作されるスライダとを有して長杆状に形成され、握り手として使用可能なハンドル錠。
【発明の詳細な説明】
【技術分野】
【０００１】
本発明は、ハンドル錠に関するものである。
【背景技術】
【０００２】
既設のガス栓等のハンドルを拘束位置に施錠可能にするための施錠装置としては、特許文献１に記載されたものが知られている。この従来例において、ハンドルの施錠は、カバー旋回防止棒を備えたカバーをハンドルに装着して行われ、カバーの装着によりカバー旋回防止棒がパイプ等に衝接してハンドルを回転させることができない。
【０００３】
ハンドルの解錠は、カバーを取り外すことにより行われ、カバーが妄りに取り外されることのないように、カバーには、鍵の挿入により取り外し可能になるロック部材が装着される。
【特許文献１】特開平１１-２７０２００号公報
【発明の開示】
【発明が解決しようとする課題】
【０００４】
しかし、上述した従来例においては、ハンドルの施解錠のたびにカバーの装着、撤去を要するために、使い勝手が悪いという欠点がある。
【０００５】
本発明は、以上の欠点を解消すべくなされたものであって、既設の装置にも簡単に装着可能で、かつ、ハンドルに取り付けた状態でハンドルの施解錠を可能にして、使い勝手を向上させたハンドル錠の提供を目的とする。
【課題を解決するための手段】
【０００６】
本発明によれば上記目的は、
回転軸１を回転操作するためのハンドル２に装着されるハンドル錠であって、
ハンドル２を抱持して該ハンドル２に固定されるベース部３と、
ベース部３に対してスライド可能で、ハンドル２を所定の回転角度に拘束するロック位置で施錠可能なスライダ４とを有して長杆状に形成され、握り手として使用可能なハンドル錠を提供することにより達成される。
【０００７】
ハンドル錠は、ベース部３に対してスライダ４を移動操作可能に装着して形成される。スライダ４は所定のスライド位置において施錠可能であり、この状態をハンドル２に対する操作が不能な位置に設定しておくと、ハンドル２を施錠状態で拘束することが可能になる。
【０００８】
スライダ４の摺動操作によりハンドル２をロック、アンロックする本発明において、ハンドル２に装着したままで運用することが可能となるために、使い勝手が向上する。また、ハンドル錠は、ハンドル２を抱くようにして該ハンドル２に固定されるベース部３を備えているために、既設のハンドル２等に簡単に装着することができる。
【０００９】
また、回転操作が、ロック解除操作部５を押下しながら行うようなハンドル２にあっては、
ロック解除操作部５への操作により解除可能にロックされた回転軸１を回転操作するためのハンドル２に装着されるハンドル錠であって、
ハンドル２を抱持して該ハンドル２に固定されるベース部３と、
ベース部３に対してスライド可能で、前記ロック解除操作部５を遮蔽する位置で施錠可能で、スライド位置でロック解除操作部５が操作されるスライダ４とを有して長杆状に形成され、握り手として使用可能なハンドル錠が使用できる。
【発明の効果】
【００１０】
本発明によれば、既設の装置にも簡単に装着可能であり、さらに、ハンドル２に取り付けた状態でハンドル２の施解錠が可能なために、使い勝手が向上する。
【発明を実施するための最良の形態】
【００１１】
図１ないし図３にガス栓６に適用された本発明の実施の形態を示す。ガス栓６は、図１に示すように、ガス管の連結部に装着される弁装置であり、弁を兼ねる回転軸１の軸端に固定されるハンドル２が、管連結部６ａに沿う姿勢が”開”状態に対応する。この状態からハンドル２を図１（ａ）において時計方向に９０°回転させるとガス挿通孔６ｂが回転軸１により閉塞され、”閉”状態に移行する。
【００１２】
ハンドル錠の装着に際して、まず、ガス栓６には施錠用バンド７が巻装、固定される。施錠用バンド７は、例えば、薄板鋼板により形成され、連結端に装着されるボルトが施錠用突起８として利用される。
【００１３】
以上のガス栓６に使用されるハンドル錠は、ハンドル２に固定されるベース部３を備える。ベース部３は、ハンドル２への後付けが可能なように、ハンドル２を背面から支える裏面カバー９と、この裏面カバー９に固定される上面カバー１０とからなる。
【００１４】
裏面カバー９は、ハンドル２のほぼ全長に渡って該ハンドル２の側面及び背面に沿って該ハンドル２を収容する樋形状に形成され、一端には、ハンドル２を底壁上面に挿通させるためのハンドル挿通開口９ａが設けられる（図２（ａ）参照）。上面カバー１０は、図３（ａ）に示すように、開口を下方に向けたボックス形状に形成され、ガス栓６の回転軸１側端部に丁番１１を介して蓋カバー１２が回転自在に装着される。
【００１５】
したがってこの実施の形態において、ハンドル錠の装着は、まず、裏面カバー９のハンドル挿通開口９ａにハンドル２を挿通させて、ハンドル２の背面を裏面カバー９の底壁に沿わせるように収容した後、裏面カバー９に上面カバー１０を止着して行われる。この結果、ハンドル２、あるいはガス栓６に対する孔明け等を一切行うことなく、装着することができる。
【００１６】
上面カバー１０には、スライドガイド１３が設けられる。スライドガイド１３は、図３（ｂ）に示すように、上面カバー１０の長手方向、すなわちハンドル２の長手方向に沿って固定され、後述するスライダ４のスライドプレート１４の両側辺を挟み付けるガイド用立ち上がり壁１３ａを備える。ガイド用立ち上がり壁１３ａの上端縁は中央部に折り曲げられ、スライドプレート１４の上方への脱離を防止するための脱落防止片１３ｂとされる。図３（ｂ）に示すように、一方の脱落防止片１３ｂには、複数の鋸歯状突起１３ｃが連続に形成される。
【００１７】
上面カバー１０にはスライダ４が装着される。スライダ４は、複数のダイヤル１５を備えたダイヤル錠であり、図３（ａ）に示すように、下端のスライドプレート１４を上記スライドガイド１３に嵌合させてスライドガイド１３の長手方向に移動自在に保持される。
【００１８】
この実施の形態において、スライダ４には、ダイヤル１５により形成される解錠コードを失念しても解錠が可能なように、ダイヤル１５に加えてシリンダ錠１６が取り付けられている。
【００１９】
スライダ４の錠部分の構成は、周知のダイヤル錠の構成を転用できるが、この実施の形態においては、操作ノブ１７に対する操作をダイヤル１５により規制することにより施錠状態を作出するように構成される。図２（ａ）に示すように、操作ノブ１７には、円形断面の長杆１８が連結され、ダイヤル１５の回転中心に開設された長杆挿通孔１５ａを貫通する。長杆１８には、ダイヤル１５のピッチに一致して複数の突起１８ａが設けられており、各ダイヤル１５の長杆挿通孔１５ａには、突起１８ａが挿通可能なアクセス凹部１５ｂが切り欠かれる。
【００２０】
いま、ダイヤル部を一部破断して示す図２（ａ）において、左端に位置するダイヤル１５のアクセス凹部１５ｂは、長杆１８の突起１８ａに正対しているが、その右に位置するダイヤル１５のアクセス凹部１５ｂは、該ダイヤル１５の回転位置が正しくないために、突起１８ａに正対しない。この状態で操作ノブ１７を右側に移動させようとしても、長杆１８の突起１８ａが右側のダイヤル１５に当接しているために、移動させることができない。この状態がダイヤル錠としての施錠状態であり、この後、全てのダイヤル１５を左端に位置するもののように、突起１８ａにアクセス凹部１５ｂが正対する位置まで回転させると、操作ノブ１７への移動操作が可能となり、この状態が解錠状態となる。
【００２１】
一方、上記スライドプレート１４には、図３（ｂ）に示すように、鋸歯状突起１３ｃに係止する係止レバー１９が回転軸１９ａ周りに回転自在で、かつ、スプリング１９ｂにより鋸歯状突起１３ｃとの係止方向に付勢されて連結される。この係止レバー１９には右半分に斜行部２０ａを備えたカム孔２０が開設されており、上記操作ノブ１７に連結される操作ピン２１が挿入される。
【００２２】
操作ノブ１７を操作しない状態においては、図３（ｂ）に示すように、係止レバー１９は鋸歯状突起１３ｃに係止しているために、ベース部３に固定されるスライドガイド１３に対し、スライダ４は摺動することはできない。また、この状態で、係止レバー１９の揺動はカム孔２０に挿入する操作ピン２１により規制されているために、スライダ４は左右いずれの方向にも移動することはない。
【００２３】
この状態から、操作ノブ１７を図２（ｂ）において右側に移動させると、操作ピンは図３（ｂ）において右側に移動し、この結果、操作ピン２１が斜行部２０ａをガイドして係止レバー１９が揺動し、鋸歯状突起１３ｃとの係止が解除し、スライダ４の移動が可能になる。
【００２４】
以上のようなスライダ４の摺動を利用してハンドル２をロックするために、スライダ４には、ロック部４ａが設けられる。ロック部４ａは、スライダ４が施錠位置にあるときにガス栓６に設けられた被ロック部に係止してハンドル２の回転操作を規制するもので、この実施の形態においては、被ロック部として上記施錠用突起８が使用され、ロック部４ａは、図１（ａ）において鎖線で示すように、施錠用突起８に嵌合可能なコ字状断面形状に形成される。
【００２５】
したがってこの実施の形態において、図２に示す位置から、ハンドル２を”閉”側に回転させ、次いで、スライダ４を図４に示すように、ロック部４ａが施錠用突起８に外嵌する位置までスライドさせると、ハンドル２への回転操作が不可能となる。この位置がハンドル２の施錠位置であり、この状態でダイヤル１５を所定の解錠回転位置から回転させると、スライダ４が施錠状態となり、他者がガス栓６を開放することができなくなる。
【００２６】
この状態から、一旦スライダ４のダイヤル１５を操作して解錠状態とした後、操作ノブ１７を移動させ、次いで、スライダ４をロック部４ａが施錠用突起８から脱離するまでスライドさせると、ハンドル２の回転操作が可能になる。この位置がハンドル錠の解錠位置であり、この後、ハンドル錠全体を握って、回転操作を加えると、ガス栓６が”開”状態に移行する。
【００２７】
図５に本発明の第２の実施の形態を示す。なお、この実施の形態の説明において、上述した実施の形態と実質的に同一の構成要素は、図中に同一符号を付して説明を省略する。この実施の形態において、ガス栓６は、図６（ｂ）に示すように、押しボタンにより形成されるロック解除操作部５を備え、該ロック解除操作部５が突出した姿勢において、ハンドル２が拘束される。ハンドル２を回転させるためには、このロック解除操作部５を押下しながらハンドル２に回転操作力を与える必要がある。
【００２８】
このように構成されるガス栓６に対応して、スライダ４には、ロック部４ａに代えてロック解除部４ｂが設けられる。ロック解除部４ｂは、上記ロック解除操作部５を押下可能なロッド形状に形成される。
【００２９】
また、不正にロック解除操作部５が操作されないように、ベース部３、正確には裏面カバー９は、ロック解除操作部５を完全に覆い隠す形状に形成される。
【００３０】
したがってこの実施の形態において、図５に示す施錠位置から上述した実施の形態と同様の手順でスライダ４を解錠し、次いで、スライダ４を図５において左側、すなわち、解錠位置までスライドさせると、ロック解除部４ｂがロック解除操作部５を押下し、この状態でハンドル錠全体を握ってハンドル２を”開”側に回転操作することができる。
【００３１】
なお、以上においては、ガス栓６に適用した例を示したが、これ以外の弁装置、あるいは操作ハンドルに適用できる。
【図面の簡単な説明】
【００３２】
【図１】本発明による施錠対象のガス栓を示す図で、（ａ）は平面図、（ｂ）は正面図、（ｃ）は右側面図である。
【図２】本発明を示す図で、（ａ）は断面図、（ｂ）は蓋カバーを取り去って示す平面図である。
【図３】図２の断面図で、（ａ）はベース部の断面図、（ｂ）はスライダの施解錠動作を示す説明図である。
【図４】ハンドルを施錠した状態を示す図である。
【図５】本発明の第２の実施の形態を示す図で、（ａ）は断面図、（ｂ）は平面図である。
【図６】図５の詳細を示す図で、（ａ）はベース部の断面図、（ｂ）はガス栓の正面図である。
【符号の説明】
【００３３】
１        回転軸
２        ハンドル
３        ベース部
４        スライダ
５        ロック解除操作部
【図１】
2005076268.tif 000003
【図２】
2005076268.tif 000004
【図３】
2005076268.tif 000005
【図４】
2005076268.tif 000006
【図５】
2005076268.tif 000007
【図６】
2005076268.tif 000008